(57)【要約】【要約書】【課題】  化粧用パフに防水シートが着脱することのできる、化粧用防水パフを提供する。【解決手段】  化粧用防水パフ１は、化粧用パフ２と、少なくとも一方の面にマジックテープ５が付着した防水シート３とを備える。化粧用パフ２の一方の面に、防水シート３がマジックテープ５により着脱することができる。防水シート３のマジックテープ５が付着した面の裏面に持ち手４を形成すると、持ちやすくなる。【選択図】  図１0003104194.tif 000003
0003104194.tif 000002
【実用新案登録請求の範囲】
【請求項１】
化粧用パフと、少なくとも一方の面にマジックテープが付着した防水シートとを備え、前記化粧用パフの一方の面に、前記防水シートが、前記マジックテープにより着脱可能であることを特徴とする化粧用防水パフ。
【請求項２】
前記防水シートの前記マジックテープが付着した面の裏面に、持ち手が形成された請求項１に記載の化粧用防水パフ。
【考案の詳細な説明】
【技術分野】  本考案は、防水シートが着脱可能な化粧用防水パフに関する。
【背景技術】  化粧用パフは、化粧水をつける際や、ネイルエナメルなどを取る場合などに使用される。本来、化粧用パフはコットン製のものが多い。化粧用パフは液体を浸透させて使用することを前提に作られている。
【考案の開示】
【考案が解決しようとする課題】  ネイルエナメルなどを取る際に使用する場合、液体リムーバーが手に付着し肌に負担をかけることが多かった。本考案は液体が手に付着しにくい化粧用パフを提供することを目的とする。
【課題を解決するための手段】  この目的を達成するために、請求項１記載の化粧用防水パフは、化粧用パフと、少なくとも一方の面にマジックテープが付着した防水シートを備え、前記化粧用パフの一方の面に、前記防水シートが、前記マジックテープにより着脱可能であることを特徴とする。
この請求項１記載の化粧用パフは表面の繊維が荒いので、マジックテープのフック状の役割ができる。そのため防水シートがマジックテープにより化粧用パフに着脱可能となる。防水シートを外すことができるので、使用後にパフと防水シートを分別して捨てることができる。そのためゴミの分別ができ環境にやさしい。  請求項２記載の化粧用防水パフは、請求項１記載の化粧用防水パフにおいて、前記防水シートの前記マジックテープが付着した面の裏面に、持ち手が形成されることを特徴とする。持ち手を形成することで、本考案の化粧用防水パフは使い易くなる。
【考案を実施するための最良の形態】  図１は、化粧用防水パフ１の正面図である。化粧用防水パフ１は、化粧用パフ２と、防水シート３と、持ち手４とからなる。
図２（ａ）は、化粧用防水パフ１の表面で、化粧用パフ２の少なくとも一方の面を示す。図２（ｂ）は、化粧用防水パフ１の裏面で、防水シート３の少なくとも一方の面を示す。防水シート３には持ち手（帯状）４Ａがついている。但し持ち手４は帯状のものに限定されない。図２（ｃ）は、化粧用防水パフ１の裏面で、防水シート３の少なくとも一方の面を示す。防水シート３には持ち手（袋状）４Ｂがついている。但し、持ち手４は袋状のものに限定されない。
図３は、化粧用防水パフ１の化粧用パフ２と防水シート３がマジックテープ５によりついていた部分を取り外した状態を示す。図３（ａ）は、防水シート３の持ち手４の裏側を示す。防水シート３にはマジックテープ５がついている。但し、マジックテープ５の貼り方は限定されない。図３（ｂ）は、化粧用パフ２の少なくとも一方の面で、防水シート３にマジックテープ５がついていた部分を取り外した面を示す。防水シート３は、マジックテープ５により着脱可能である。
【図面の簡単な説明】
【図１】  本考案の化粧用防水パフの正面図である。
【図２】  化粧用防水パフの表面と、裏面とを示す。
【図３】  化粧用防水パフの、化粧用パフと、防水シートがマジックテープによりついていた部分を取り外した状態を示す。
【符号の説明】
１      化粧用防水パフ
２      化粧用パフ
３      防水シート
４      持ち手
５      マジックテープ
４Ａ    持ち手（帯状）
４Ｂ    持ち手（袋状）
【図１】
0003104194.tif 000004
【図２】
0003104194.tif 000005
【図３】
0003104194.tif 000006
【手続補正書】
【提出日】平成16年4月1日(2004.4.1)
【手続補正１】
【補正対象書類名】実用新案登録請求の範囲
【補正対象項目名】全文
【補正方法】変更
【補正の内容】
【実用新案登録請求の範囲】
【請求項１】
化粧用パフと、少なくとも一方の面に面ファスナーが付着した防水シートとを備え、前記化粧用パフの一方の面に、前記防水シートが、前記面ファスナーにより着脱可能であることを特徴とする化粧用防水パフ。
【請求項２】
前記防水シートの前記面ファスナーが付着した面の裏面に、持ち手が形成された請求項１に記載の化粧用防水パフ。
【手続補正２】
【補正対象書類名】明細書
【補正対象項目名】全文
【補正方法】変更
【補正の内容】
【考案の詳細な説明】
【技術分野】  本考案は、防水シートが着脱可能な化粧用防水パフに関する。
【背景技術】  化粧用パフは、化粧水をつける際や、ネイルエナメルなどを取る場合などに使用される。本来、化粧用パフはコットン製のものが多い。化粧用パフは液体を浸透させて使用することを前提に作られている。
【考案の開示】
【考案が解決しようとする課題】  ネイルエナメルなどを取る際に使用する場合、液体リムーバーが手に付着し肌に負担をかけることが多かった。本考案は液体が手に付着しにくい化粧用パフを提供することを目的とする。
【課題を解決するための手段】  この目的を達成するために、請求項１記載の化粧用防水パフは、化粧用パフと、少なくとも一方の面に面ファスナーが付着した防水シートを備え、前記化粧用パフの一方の面に、前記防水シートが、前記面ファスナーにより着脱可能であることを特徴とする。
この請求項１記載の化粧用パフは表面の繊維が荒いので、面ファスナーのフック状の役割ができる。そのため防水シートが面ファスナーにより化粧用パフに着脱可能となる。防水シートを外すことができるので、使用後にパフと防水シートを分別して捨てることができる。そのためゴミの分別ができ環境にやさしい。請求項２記載の化粧用防水パフは、請求項１記載の化粧用防水パフにおいて、前記防水シートの前記面ファスナーが付着した面の裏面に、持ち手が形成されることを特徴とする。持ち手を形成することで、本考案の化粧用防水パフは使い易くなる。
【考案を実施するための最良の形態】  図１は、化粧用防水パフ１の正面図である。化粧用防水パフ１は、化粧用パフ２と、防水シート３と、持ち手４とからなる。
図２は、化粧用防水パフ１の側面図である。化粧用防水パフ１は、化粧用パフ２の繊維と、防水シート３の面ファスナーとが付着した状態で、持ち手４は中央に帯状についている。
図３（ａ）は、化粧用防水パフ１の表面で、化粧用パフ２の少なくとも一方の面を示す。図３（ｂ）は、化粧用防水パフ１の裏面で、防水シート３の少なくとも一方の面を示す。防水シート３には持ち手（帯状）４Ａがついている。但し持ち手４は帯状のものに限定されない。図３（ｃ）は、化粧用防水パフ１の裏面で、防水シート３の少なくとも一方の面を示す。防水シート３には持ち手（袋状）４Ｂがついている。但し、持ち手４は袋状のものに限定されない。
図４は、化粧用防水パフ１の化粧用パフ２と防水シート３が面ファスナー５によりついていた部分を取り外した状態を示す。図４（ａ）は、防水シート３の持ち手４の裏側を示す。防水シート３には面ファスナー５がついている。但し、面ファスナー５の貼り方は限定されない。図４（ｂ）は、化粧用パフ２の少なくとも一方の面で、防水シート３に面ファスナー５がついていた部分を取り外した面を示す。防水シート３は、面ファスナー５により着脱可能である。
【図面の簡単な説明】
【図１】  本考案の化粧用防水パフの正面図である。
【図２】  化粧用防水パフの側面図である。
【図３】  化粧用防水パフの表面と、裏面とを示す。
【図４】  化粧用防水パフの、化粧用パフと、防水シートが面ファスナーによりついていた部分を取り外した状態を示す。
【符号の説明】
１        化粧用防水パフ
２        化粧用パフ
３        防水シート
４        持ち手
５        面ファスナー
４Ａ      持ち手（帯状）
４Ｂ      持ち手（袋状）
【手続補正４】
【補正対象書類名】図面
【補正対象項目名】全図
【補正方法】変更
【補正の内容】
【図１】
0003104194.tif 000007
【図２】
0003104194.tif 000008
【図３】
0003104194.tif 000009
【図４】
0003104194.tif 000010